(57)【要約】【課題】文字列入力の効率化を図ることができ、より表現力の高い文章を自動的に生成することができるようにする。【解決手段】画像データを出力する撮像部１０１と、参照用画像データを格納するメモリ１０３と、撮像部１０１から入力される画像データに関連付けた文字データを前記参照用画像データに基づき生成する文字変換部１０２と、文字入力部１０５による文字列編集時に文字変換部１０２が生成した文字を付加して文字表示部１０４に表示する制御部１０８とを備える。【選択図】      図１
2004220473.tif 000002
【特許請求の範囲】
【請求項１】
文字入力手段から入力された文字データを文字表示手段に表示するとともに、外部と無線授受が行える無線携帯端末機において、画像データを出力する撮像手段と、参照用画像データを格納する記憶手段と、前記撮像手段から入力される画像データに関連付けた文字データを前記参照用画像データに基づき生成する文字変換手段と、前記文字入力手段による文字列編集時に前記文字変換手段が生成した文字を付加して前記文字表示手段に表示する表示制御手段と、を具備することを特徴とする無線携帯端末機。
【請求項２】
前記文字変換手段の機能を有効または無効とする選択手段、を具備することを特徴とする請求項１記載の無線携帯端末機。
【発明の詳細な説明】
【０００１】
【発明の属する技術分野】
本発明は、無線携帯端末機に関するものである。
【０００２】
【従来の技術】
図５は、従来の無線携帯端末機の構成例（特許文献１に開示された文字入力を備えた携帯端末）を示すブロック図である。図５において、この文字入力を備えた携帯端末は、アンテナ５０１と、無線部５０２と、音声処理部５０３と、スピーカ５０４と、マイク５０５、表示部５０６と、メモリ５０７と、キー操作部５０８と、制御部５０９とで構成され、文字入力処理は、キー操作部５０８にて行うようになっている。
【０００３】
図６は、従来の無線携帯端末機の構成例（特許文献２に開示された文字入力に音声を用いる携帯端末）を示すブロック図である。図６において、この文字入力に音声を用いる携帯端末は、操作部６０１と、表示部６０２と、報知部６０３と、制御部６０４と、入出力部６０５と、送受信部６０６と、メモリ６０７とで構成され、文字入力処理は、入出力部６０５から入力した音声を音声認識処理によって文字列を生成するようになっている。
【０００４】
図７は、従来の無線携帯端末機の構成例（特許文献３に開示されたカメラを使った文字列入力補助を行う携帯端末）を示すブロック図である。図７において、このカメラを使った文字列入力補助を行う携帯端末は、本体７０１とカメラ部７０２とを備えている。本体７０１には、ＣＰＵ７１１と、記憶部７１２と、画像取り込み部７１３と、映像出力部７１４と、近距離無線制御部７１５と、通信部７１６と、電源部７１７と、画像処理部７１８、ディスプレイ７１９、ボタン７２０が設けられている。カメラ部７０２には、近距離無線通信部７２１と、電源部７２２と、スピーカ７２３と、マイク７２４と、カーソルキー７２５と、カメラ７２６とが設けられている。カメラを使った文字入力処理は、カメラ７２６で撮影された文字列を文字認識処理で文字列を生成するようになっている。
【０００５】
【特許文献１】
特開２００２−１３２４２７号公報（００１５〜００１６、図２）
【特許文献２】
特開２０００−１８１９１１号公報（００１６〜００１９、図１）
【特許文献３】
特開２００２−１５２６９６号公報（０００８〜００１２、図１）
【０００６】
【発明が解決しようとする課題】
しかしながら、従来の文字入力を備えた携帯端末においては、文字列編集は個数が限られたキー入力のみでしか行えないため、入力効率が悪いという問題があった。
【０００７】
また、従来の文字入力に音声を用いる携帯端末においては、使用環境が、騒々しい場所や電車内等では音声入力が困難な場合があるという問題があった。
【０００８】
また、カメラを使った文字列入力補助を行う携帯端末においては、文字列を画像情報から切り出すために、文字列を撮影することにより入力画像に文字を含める必要があるという問題があった。
【０００９】
本発明は、かかる点に鑑みてなされたものであり、文字列入力の効率化が図れ、より表現力の高い文章を自動的に生成できる無線携帯端末機を提供することを目的とする。
【００１０】
【課題を解決するための手段】
本発明の無線携帯端末機は、文字入力手段から入力された文字データを文字表示手段に表示するとともに、外部と無線授受が行える無線携帯端末機において、画像データを出力する撮像手段と、参照用画像データを格納する記憶手段と、前記撮像手段から入力される画像データに関連付けた文字データを前記参照用画像データに基づき生成する文字変換手段と、前記文字入力手段による文字列編集時に前記文字変換手段が生成した文字を付加して前記文字表示手段に表示する表示制御手段と、を具備する構成を採る。
【００１１】
この構成によれば、文字列編集時に、撮像手段から入力された画像データに基づいた文字列を生成し、自動的に付加することができるので、文字入力手段による入力を補助し、文字列編集の効率を向上することができ、より表現力の高い文章が自動的に生成できるようになる。
【００１２】
また、本発明の無線携帯端末機は、上記の発明において、前記文字変換手段の機能を有効または無効とする選択手段、を具備する構成を採る。
【００１３】
この構成によれば、ユーザの必要に応じて入力画像による文字生成機能を使用するか否かを選択することができる。
【００１４】
【発明の実施の形態】
本発明の骨子は、文字列編集時に入力画像に関連した文字を自動的に付加できるようにし、文字列入力の効率化を図り、より表現力の高い文章が自動的に生成できるようにすることである。
【００１５】
以下、本発明の実施の形態について、図面を用いて詳細に説明する。
【００１６】
（実施の形態１）
図１は、本発明の実施の形態１に係る無線携帯端末機の構成を示すブロック図である。図１に示すように、本発明の実施の形態１に係る無線携帯端末機１００は、画像データを出力する撮像部１０１と、撮像部１０１が出力する画像データに関連した文字列を出力する文字変換部１０２と、文字変換部１０２が用いる参照用画像データを格納するメモリ１０３と、文字列を表示可能な文字表示部１０４と、番号キーで構成される文字入力部１０５と、アンテナ１０６を用いて文字データを無線授受する通信部１０７と、これらの要素を制御して文字データの表示と無線通信とを実現する制御部１０８とを備えている。
【００１７】
次に、図２を参照して、以上のように構成された無線携帯端末機の動作について説明する。なお、図２は、図１に示す無線携帯端末機の動作を説明するフローチャートである。図２では、ユーザの顔の表情から喜怒哀楽の４つの顔文字を自動生成する動作例が示されている。
【００１８】
図２において、文字変換部１０２では、文字入力部１０５による文字編集時に、撮像部１０１から顔画像データ２０１が入力されると、その顔画像データ２０１と予めメモリ１０３に登録してある喜怒哀楽の４つのカテゴリに分類されたユーザの顔画像データ２０２との類似度から最も類似度の高い顔画像データを求め（ステップＳＴ２０１）、最も類似度の高いカテゴリを選択する（ステップＳＴ２０２）。
【００１９】
そして、制御部１０８は、求められた顔画像データの属するカテゴリが“喜”“怒”“哀”“楽”のいずれであるかを判断し（ステップＳＴ２０３，ステップＳＴ２０４，ステップＳＴ２０５）、文字表示部１０４に表示出力する顔文字の出力パターンを切り替える（ステップＳＴ２０６，ステップＳＴ２０７，ステップＳＴ２０８，ステップＳＴ２０９）。
【００２０】
即ち、選択されたカテゴリが“喜”であれば（ステップＳＴ２０３：Ｙｅｓ）、喜んでいる顔表情を示す顔文字を出力する（ステップＳＴ２０６）。選択されたカテゴリが“喜”でなく（ステップＳＴ２０３：Ｎｏ）、“怒”であれば（ステップＳＴ２０４：Ｙｅｓ）、怒っている顔表情を示す顔文字を出力する（ステップＳＴ２０７）。選択されたカテゴリが“怒”でなく（ステップＳＴ２０４：Ｎｏ）、“哀”であれば（ステップＳＴ２０５：Ｙｅｓ）、哀しんでいる顔表情を示す顔文字を出力する（ステップＳＴ２０８）。そして、選択されたカテゴリが“哀”でなく（ステップＳＴ２０５：Ｎｏ）、“楽”であれば（ステップＳＴ２０５：Ｎｏ）、楽しんでいる顔表情を示す顔文字を出力する（ステップＳＴ２０９）。
【００２１】
このように、本発明の実施の形態１に係る無線携帯端末機によれば、撮像部から得られる画像データに関連した文字データの生成を行う文字変換機能を備えたので、文字入力部による入力を補助し、文字列入力の効率化が図れ、より表現力が豊かな文章を自動的に作成することができる。
【００２２】
なお、メモリ１０３に格納する参照用画像データは、通信部１０７によってネットワークからダウンロードすることも可能である。さらに、文字変換部１０２では変換効率を高めるため学習機能を有するようにしてもよい。
【００２３】
（実施の形態２）
図３は、本発明の実施の形態２に係る無線携帯端末機の構成を示すブロック図である。なお、図３では、図１に示した構成と同一ないしは同等である構成要素には、同一の符号が付されている。ここでは、実施の形態２に関わる部分を中心に説明する。
【００２４】
図３に示すように、本発明の実施の形態２に係る無線携帯端末機３００は、図１に図１に示した構成において、文字変換部１０２の機能を有効または無効とする選択制御を行う文字変換制御部３０１が追加されている。
【００２５】
次に、図４を参照して、以上のように構成された無線携帯端末機の動作について説明する。なお、図４は、図３に示す無線携帯端末機の動作を説明するフローチャートである。図４では、図２と同様にユーザの顔の表情から喜怒哀楽の４つの顔文字を自動生成する動作例が示され、同一の処理となる手順には同一の符号が付されている。
【００２６】
図４において、文字変換制御部３０１は、文字入力部１０５による文字編集時に、文字変換部１０２を用いるか（有効とするか）用いないか（無効とするか）を判断する（ステップＳＴ４０１）。無効であれば（ステップＳＴ４０１：Ｎｏ）、文字変換部１０２は機能しない。したがって、制御部１０８は、文字入力部１０５によって入力された文字データのみを文字表示部１０４に出力する（ステップＳＴ４０２）。一方、有効であれば（ステップＳＴ４０１：Ｙｅｓ）、ステップＳＴ２０１に進み、以降、実施の形態１（図２）と同様に文字変換部１０２を用いた動作が行われる。
【００２７】
このように、本発明の実施の形態２に係る無線携帯端末機によれば、文字変換機能を有効化／無効化することができるようにしたので、ユーザの必要に応じて入力画像による文字生成機能を使用するか否かを選択することができる。
【００２８】
【発明の効果】
以上説明したように、本発明によれば、入力された画像データに関連した文字データを生成することができるので、文字列入力の効率化が図れ、より表現力の高い文章を自動的に生成できる無線携帯端末機を提供することができる。
【図面の簡単な説明】
【図１】本発明の実施の形態１に係る無線携帯端末機の構成を示すブロック図
【図２】図１に示す無線携帯端末機の動作を説明するフローチャート
【図３】本発明の実施の形態２に係る無線携帯端末機の構成を示すブロック図
【図４】図３に示す無線携帯端末機の動作を説明するフローチャート
【図５】従来の無線携帯端末機の構成例（特許文献１に開示された文字入力を備えた携帯端末）を示すブロック図
【図６】従来の無線携帯端末機の構成例（特許文献２に開示された文字入力に音声を用いる携帯端末）を示すブロック図
【図７】従来の無線携帯端末機の構成例（特許文献３に開示されたカメラを使った文字列入力補助を行う携帯端末）を示すブロック図
【符号の説明】
１００，３００    無線携帯端末機
１０１    撮像部
１０２    文字変換部
１０３    メモリ
１０４    文字表示部
１０５    文字入力部
１０６  アンテナ
１０７    通信部
１０８    制御部
３０１    文字変換制御部
【図１】
2004220473.tif 000003
【図２】
2004220473.tif 000004
【図３】
2004220473.tif 000005
【図４】
2004220473.tif 000006
【図５】
2004220473.tif 000007
【図６】
2004220473.tif 000008
【図７】
2004220473.tif 000009